(57)【要約】【課題】  店頭販売の状態のままで置物として飾ることができるようにすることで手間を要さずかつ省資源化が図れ、しかも生花を長持ちさせ得る生花置物を提供する。【解決手段】  店頭販売の状態のままで飾ることができる生花置物１であって、茎４ｂが切られ、かつその切り口及びその近傍部分に殺菌剤を付着させた複数の生花４と、無底の概略円錐台形状をなし、天井面３ａに形成された茎挿入部３ｂに上記複数の生花４の茎４ａが挿入された起立用部材３と、周縁部を上側にした袋状に変形され、内側に入れられた起立用部材及び複数の生花の茎を覆う防水性シートと、該防水性シートの周囲を、上記生花４の茎４ａに括り付ける紐と、上記防水性シート２の内部に入れられた、延命剤を含む水とを具備する。【選択図】      図２
0003113684.tif 000002
【実用新案登録請求の範囲】
【請求項１】
店頭販売の状態のままで飾ることができる生花置物であって、
茎が切られ、かつその切り口及びその近傍部分に殺菌剤を付着させた複数の生花と、
無底の概略円錐台形状をなし、天井面に形成された茎挿入部に上記複数の生花の茎が挿入された起立用部材と、
周縁部を上側にした袋状に変形され、内側に入れられた起立用部材及び複数の生花の茎を覆う防水性シートと、
該防水性シートの周囲を、上記生花の茎に括り付ける括付手段と、
上記防水性シートの内部に入れられた、延命剤を含む水とを具備することを特徴とする生花置物。
【請求項２】
前記起立用部材は、合成樹脂製コップの底面に前記茎挿入部として孔又は押し開けられる切り目が形成されたものを上下逆にして用いられ、起立用部材の天井面が上記コップ底面に相当することを特徴とする請求項１に記載の生花置物。
【請求項３】
前記防水性シートは、２枚重ねとなっていることを特徴とする請求項１又は２に記載の生花置物。
【請求項４】
前記防水性シートは、色の違う矩形状のもの２枚を、四隅の位置をずらして重ねた構成となっていることを特徴とする請求項１乃至３のいずれかに記載の生花置物。
【請求項５】
更に、前記防水性シートの外側に、該防水性シートとは色の異なるラッピングシートにより覆われていることを特徴とする請求項４に記載の生花置物。
【請求項６】
前記水に、自然に液化するゲル状のものが用いられることを特徴とする請求項１乃至５のいずれかに記載の生花置物。
【考案の詳細な説明】
【技術分野】
【０００１】
本考案は、店頭販売の状態のままで飾ることができる新規な生花置物に関する。
【背景技術】
【０００２】
従来、生花店で生花を買った場合の包装として、袋状物の内部に入れた、水を含む高吸収性ポリマーに生花の茎の切断部分を差込む構成のものが知られている（特開平３−１７２１２０号）。この構成により、高吸収性ポリマーによる生花への保水性と袋状物による水の滴り防止とが図れる。
【考案の開示】
【考案が解決しようとする課題】
【０００３】
しかしながら、上記包装による場合には、高吸収性ポリマーに生花の茎の切断部分を差込むため、その切断部分の導管から菌が茎内に入ったりする虞があり、花瓶に移し替えても生花が長持ちし難いという難点があった。また、高吸収性ポリマーからの水分補給による場合には、生花の茎の切断部分を水に浸漬させる場合よりも生花が長持ちし難く、花瓶に移し替える必要性があって手間が掛かる。更に、花瓶に移し替えて飾る場合には、包装に要した高吸収性ポリマーや袋状物が無駄になり、省資源の観点から好ましいとは言い難い。
【０００４】
本考案は、このような従来技術の課題を解決するためになされたもので、店頭販売の状態のままで置物として飾ることができるようにすることで手間を要さずかつ省資源化が図れ、しかも生花を長持ちさせ得る生花置物を提供することを目的とする。
【課題を解決するための手段】
【０００５】
請求項１の発明に係る生花置物は、店頭販売の状態のままで飾ることができる生花置物であって、茎が切られ、かつその切り口及びその近傍部分に殺菌剤を付着させた複数の生花と、無底の概略円錐台形状をなし、天井面に形成された茎挿入部に上記複数の生花の茎が挿入された起立用部材と、周縁部を上側にした袋状に変形され、内側に入れられた起立用部材及び複数の生花の茎を覆う防水性シートと、該防水性シートの周囲を、上記生花の茎に括り付ける括付手段と、上記防水性シートの内部に入れられた、延命剤を含む水とを具備することを特徴とする。
【０００６】
請求項２の発明に係る生花置物は、前記起立用部材は、合成樹脂製コップの底面に前記茎挿入部として孔又は押し開けられる切り目が形成されたものを上下逆にして用いられ、起立用部材の天井面が上記コップ底面に相当することを特徴とする。
【０００７】
請求項３の発明に係る生花置物は、前記防水性シートは、２枚重ねとなっていることを特徴とする。
【０００８】
請求項４の発明に係る生花置物は、前記防水性シートは、色の違う矩形状のもの２枚を、四隅の位置をずらして重ねた構成となっていることを特徴とする。
【０００９】
請求項５の発明に係る生花置物は、更に、前記防水性シートの外側に、該防水性シートとは色の異なるラッピングシートにより覆われていることを特徴とする。
【００１０】
請求項６の発明に係る生花置物は、前記水に、自然に液化するゲル状のものが用いられることを特徴とする。
【考案の効果】
【００１１】
本考案による場合には、起立用部材の底部が広いので、店頭販売時も家庭等で飾る時も自立状態で置くことができ、しかも本考案の構成が水を入れた花瓶に生花を差した構成と同様であるので、店頭販売時の状態のまま家庭等で飾ることができる全くの手間いらずで、また何も廃棄する必要がなく非常に有効な省資源化が図れる。また、茎の切り口が殺菌剤で殺菌されているので切り口の導管に菌が入ったりするのを防止できることにより、また生花寿命を延ばし得るように茎の切り口が水に浸漬していることにより、更に水に生花寿命を延ばし得る延命剤が含まれていることにより、生花を非常に長持ちさせ得る。
【００１２】
請求項２による場合には、コップの底面に茎挿入部をナイフ等で形成することで、起立用部材として市販の合成樹脂製コップなどを用いることができ、コストの低廉化が図れる。
【００１３】
請求項３による場合には、一方が破れても他方のシートで漏水を防止することができる。
【００１４】
請求項４による場合には、２枚重なった色の違う矩形状シートの四隅の位置がずれているので、防水性シートに２色が表され、美観の向上が図れる。
【００１５】
請求項５による場合には、ラッピングシートを備えるため、更に美観を向上させ得る。
【００１６】
請求項６による場合には、ゲル状の水に、液化するまでの時間が購入して家等へ持ち帰る時間よりも長いものを用いることにより、持ち帰る際に水が零れないようにすることができる。
【考案を実施するための最良の形態】
【００１７】
以下に、本考案に係る生花置物を具体的に説明する。
【００１８】
図１は本考案の一実施形態に係る生花置物を示す外観斜視図であり、図２はその生花置物から防水性シートを省略した斜視図である。
【００１９】
この生花置物１は、店頭販売の状態のままで飾ることができるものであって、袋状に変形された防水性シート２と、そのシート２内に設けられた起立用部材３と、その起立用部材３に挿入された複数の生花４と、上記シート２の周囲を生花４の茎４ａに括り付ける括付手段としての紐５と、袋状シート２の内部に入れられた水６とを具備する。
【００２０】
各生花４は、茎４ａの下部が切断された所定高さに調整されていて、茎４ａの切り口４ｂ及びその近傍部分には殺菌剤７が付着している（図３参照）。殺菌剤７としては、例えば次亜鉛酸ナトリウム等が用いられる。なお、図３は１本の生花につき示しているが、全ての生花４に関して、殺菌剤７を付着させている。
【００２１】
起立用部材３は、図４に示すように無底の概略円錐台形状に形成されていて、底部３ｃが天井部よりも広いもので、天井面３ａには上記複数の生花４の茎４ａを挿入するための茎挿入部３ｂが形成されている。この起立用部材３は、例えば市販されている合成樹脂製コップの底面に茎挿入部３ｂとして押し開けられる切り目が形成されたものを上下逆にして用いている。つまり、起立用部材３の天井面３ａは上記コップの底面に相当する。上記茎挿入部３ｂとしての切り目は、図示例では十字状としているが、これに限らず、放射状などでもよい。なお、上記茎挿入部３ｂとしては、上記切り目に代えて、孔を形成してもよい。
【００２２】
また、起立用部材３は、上述したコップ用のものに限らず、他の用途のものでもよい。形状としては、円錐台形状に限らず、例えば高さ方向に段差や折れ曲がりが有ってもよく、要は置いたときに安定性が良いように底部が天井部よりも広くなっていて概略的に円錐台形状に近い形状であればよい。
【００２３】
防水性シート２は、例えば合成樹脂製のもので、２枚重ねたものを、周縁部を上側にした袋状に変形させて使用していて、内側に入れられた起立用部材３及び複数の生花４の茎４ａを覆っている。２枚重ねとするのは、一方のシートが破れても他方のシートにより水漏れを防止することを可能とするためである。また、本実施形態では、防水性シート２は、色の違う２枚の矩形状シート２ａ、２ｂを、四隅の位置をずらして重ねた構成とすることで、２色が表され、美観の向上を図れるようにしている。
【００２４】
上記紐５は、袋状をした防水性シート２の周囲を、生花４の茎４ａに括り付けるものである。括付手段としては、紐５に限らず、輪ゴムなどでもよい。
【００２５】
上記水６は、延命剤を含むもので、延命剤としては、例えば株式会社ハイポネックス  ジャパン販売のハイポネックス、（株）フローラ製のＨＢ−１０１及びクリザール社製のクリザールなどのうちの１又は２以上が用いられる。
【００２６】
次に、このように構成された生花置物の製造方法を図５に基づき説明する。
【００２７】
まず、生花４の茎４ａを所定長さに切断し、図５（ａ）に示すように、その茎４ａの下部を殺菌剤７に浸漬して切り口４ｂ及びその近傍部分に殺菌剤７を付着させる（第１工程）。
【００２８】
次に、図５（ｂ）に示すように中央部に凹部１０ａが形成された台１０を用い、図５（ｃ）に示すようにその台１０の上に、四隅の位置をずらして重ねた色の違う２枚の矩形状シート２ａ、２ｂを載せ、その上から起立用部材３を、起立用部材３の底部が凹部１０ａに入るように押込む（第２工程）。なお、この第２工程は、上記第１工程よりも先に行ってもよい。
【００２９】
続いて、図５（ｄ）に示すように起立用部材３の茎挿入部３ｂに生花４の茎４ａを上から差込み、その後、延命剤入りの水、例えば２５０ｃｃ程度を入れ、シート２の周縁部を上にして袋状に変形させる。
【００３０】
最後に、紐５を用いて、袋状をした防水性シート２の周囲を生花４の茎４ａに括り付ける。そして、この状態で店頭にて販売される。
【００３１】
したがって、本実施形態による場合には、起立用部材３の底部３ｃが広いので、店頭販売時も家庭等で飾る時も自立状態で置くことができ、しかも本考案の構成が水を入れた花瓶に生花を差した構成と同様であるので、店頭販売時の状態のまま家庭等で飾ることができる全くの手間いらずで、また何も廃棄する必要がなく非常に有効な省資源化が図れる。また、茎４ａの切り口４ｂが殺菌剤７で殺菌されているので切り口４の導管に菌が入ったりするのを防止できることにより、また生花寿命を延ばし得るように茎４ａの切り口４ｂが水６に浸漬していることにより、更に水６に生花寿命を延ばし得る延命剤が含まれていることにより、生花４を非常に長持ちさせ得る。
【００３２】
また、本実施形態においては、コップの底面に茎挿入部３ｂをナイフ等で形成することで、起立用部材３として市販の合成樹脂製コップなどを用いることができ、コストの低廉化が図れる。
【００３３】
なお、上述した実施形態では起立用部材３及び複数の生花４の茎４ａをシート２で覆うようにしているが、本考案はこれに限らず、図６に示すように、シート２の上に、更に防水性シート２とは色の異なるラッピングシート１１を用いて覆うようにしてもよく、或いは、図７に示すように防水性シート２とは色の異なる又は透明な帯状のラッピングシート１２（二点鎖線で示す）で、生花置物１の上下を通るように周囲を覆うようにしてもよい。このようにした場合には、四隅の位置をずらして色の違う２枚の矩形状シート２ａ、２ｂを重ねた構成としたときよりも、更に美観を向上させ得る。なお、上記帯状のラッピングシート１２を用いて生花置物１の上下を通るように周囲を覆う場合には、生花４の少なくとも一部を露出させるのが好ましい。
【００３４】
また、上述した実施形態では液状の水を袋状シート内に入れているが、本考案はこれに限らない。例えば、液状の水に代えて、自然に液化するゲル状のものを用いてもよい。このゲル状の水として、液化するまでの時間が購入して家等へ持ち帰る時間よりも長いものを用いることにより、持ち帰る際に傾ける等しても水が零れないようにすることができる。ゲル状の水の例としては、例えば株式会社伏見製薬所製の「エコゼリー」などが挙げられる。
【００３５】
更に、上述した実施形態では括付手段として紐を用いているが、本考案はこれに限らない。例えば、輪ゴム或いはタグ付き輪ゴムなどを用いてもよい。
【図面の簡単な説明】
【００３６】
【図１】本考案の一実施形態に係る生花置物を示す外観斜視図である。
【図２】図１の生花置物から防水性シートを省略した斜視図である。
【図３】１本の生花を示す斜視図である。
【図４】起立用部材を示す斜視図である。
【図５】図１の生花置物の製造方法の説明図である。
【図６】本考案の他の実施形態に係る生花置物の外観斜視図である。
【図７】本考案の更に他の実施形態に係る生花置物の外観斜視図である。
【符号の説明】
【００３７】
１    生花置物
２    防水性シート
２ａ、２ｂ    矩形状シート
３    起立用部材
３ａ    天井面
３ｂ    茎挿入部
４    生花
４ａ    茎
４ｂ    切り口
５    紐（括付手段）
６    水
７    殺菌剤
１１、１２    ラッピングシート
【図１】
0003113684.tif 000003
【図２】
0003113684.tif 000004
【図３】
0003113684.tif 000005
【図４】
0003113684.tif 000006
【図５】
0003113684.tif 000007
【図６】
0003113684.tif 000008
【図７】
0003113684.tif 000009